(57)【要約】【課題】  主基板用保持板金に特定部を設けることにより、保持板金を新規に設計せずに、主基板用保持板金の加工だけで、取り付けている主基板より小さい副基板を取り付けられるように対応でき、開発費用を抑制できる映像表示装置および映像表示装置の製造方法を提供する。【解決手段】  映像を画面に表示する表示パネル８と、信号系の電気回路が搭載された主基板２と、主基板２に具現されない処理を行う電気回路が搭載された補助基板７と、補助基板７を保持しながら表示パネル８の背面板金に固定される補助基板用保持板金６と、主基板２を保持するために切り起しに設けられた固定部１ａと補助基板７および主基板２より小さい副基板９を並べて保持するために設けられた補助固定部１ｄとある端部から対面する端部に向かって直線状に形成された特定部１６とを備え、主基板２を保持しながら、表示パネル８の背面板金に固定される主基板用保持板金１とを備える。【選択図】  図１
2019174735.tif 000002
【特許請求の範囲】
【請求項１】
映像を画面に表示する表示パネルと、
信号系の電気回路が搭載された主基板と、
前記主基板に具現されない処理を行う電気回路が搭載された補助基板と、
前記補助基板を保持しながら、前記表示パネルの背面板金に固定される補助基板用保持板金と、
前記主基板を保持するために切り起しに設けられた固定部と、前記補助基板および前記主基板より小さい副基板を並べて保持するために設けられた補助固定部と、前記補助基板および前記副基板を並べて保持する時に互いの基板間にあり、ある端部から対面する端部に向かって直線状に形成された、前記固定部または前記補助固定部が含まれない範囲であるカットラインの位置を特定する特定部とを備え、前記主基板を保持しながら、前記表示パネルの背面板金に固定される主基板用保持板金と、
を備えた映像表示装置。
【請求項２】
保持板金をある端部から対面する端部に向かって直線状に形成されたカットラインの位置を特定する特定部に基づいて二つに分割する第一工程と、
前記第一工程で分割されて作成された二つの保持板金の一方の第一の保持板金に副基板を取り付けて保持し、表示パネルの背面板金に取り付ける第二工程と、
前記第一工程で分割されて作成された二つの保持板金の他方の第二の保持板金に補助基板を取り付けて保持し、前記表示パネルの背面板金に取り付ける第三工程と、
を備えた映像表示装置の製造方法。
【請求項３】
前記第一工程を、金型を使って行うことを特徴とする請求項２に記載の映像表示装置の製造方法。
【請求項４】
前記主基板用保持板金に設けられた補助固定部を切り起すことを特徴とする請求項１に記載の映像表示装置。
【発明の詳細な説明】
【技術分野】
【０００１】
本発明は、液晶テレビなどの映像表示装置および映像表示装置の製造方法に関する。
【背景技術】
【０００２】
従来のパネル型テレビジョンおよび液晶テレビジョンでは、液晶表示パネル背面に一枚の基板設置用板金が取り付けられており、その基板設置用板金の液晶表示パネル背面から見て左側に補助基板が、中央部に主基板が、右側にインバータ基板がビス止めされて取り付けられている（例えば、特許文献１参照）。
【先行技術文献】
【特許文献】
【０００３】
【特許文献１】実用新案登録第３１１７８３３号公報
【発明の概要】
【発明が解決しようとする課題】
【０００４】
しかしながら、従来のパネル型テレビジョンおよび液晶テレビジョンでは、一枚の基板設置用板金に複数枚の基板を取り付けているため、取り付けている基板よりも小さい基板を使用する場合、基板設置用板金の大きさが基板サイズに比べて大きすぎることになり、その基板設置用板金の余剰分だけ材料費が多くかかっていた。一方、基板設置用板金の材料費を抑えるために、その小さい基板の大きさに合わせて基板設置用板金を新規に作成すると、その基板設置用板金の設計および検証を行う時間や基板設置用板金の金型を作成する費用が増えてしまう。そのため、いずれにしても基板設置用板金の開発費用が増えてしまうという問題点があった。
【０００５】
この発明は、上記のような問題点を解決するためになされたものであり、取り付けている基板より小さい基板を取り付ける場合でも保持板金を新規に設計せずに保持板金の加工だけで対応する。これにより、保持板金の設計および検証を行う時間や保持板金の材料費および金型費といった開発費用を抑制できる映像表示装置を提供することを目的とする。また、開発費用を抑制できる映像表示装置の製造方法を提供することを目的とする。
【課題を解決するための手段】
【０００６】
この発明に係る映像表示装置は、映像を画面に表示する表示パネルと、信号系の電気回路が搭載された主基板と、主基板に具現されない処理を行う電気回路が搭載された補助基板と、補助基板を保持しながら、表示パネルの背面板金に固定される補助基板用保持板金と、主基板を保持するために切り起しに設けられた固定部と補助基板および主基板より小さい副基板を並べて保持するために設けられた補助固定部と補助基板および副基板を並べて保持する時に互いの基板間にあり、ある端部から対面する端部に向かって直線状に形成された、固定部または補助固定部が含まれない範囲であるカットラインの位置を特定する特定部とを備え、主基板を保持しながら、表示パネルの背面板金に固定される主基板用保持板金とを備える。
また、この発明に係る映像表示装置の製造方法は、保持板金をある端部から対面する端部に向かって直線状に形成されたカットラインの位置を特定する特定部に基づいて二つに分割する第一工程と、第一工程で分割されて作成された二つの保持板金の一方の第一の保持板金に副基板を取り付けて保持し、表示パネルの背面板金に取り付ける第二工程と、第一工程で分割されて作成された二つの保持板金の他方の第二の保持板金に補助基板を取り付けて保持し、表示パネルの背面板金に取り付ける第三工程とを備える。
【発明の効果】
【０００７】
この発明における映像表示装置は、主基板用保持板金を上記構成にすることにより、保持板金を新規に設計せずに保持板金の加工だけで、取り付けている主基板より小さい副基板を取り付けられるように対応でき、開発費用を抑制できる。また、この発明における映像表示装置の製造方法は、保持板金をカットラインの位置を特定する特定部に基づいて二つに分割する第一工程と、分割されて作成された二つの板金の一方に主基板を取り付けて保持し表示パネルの背面板金に取り付ける工程と、分割されて作成された二つの保持板金の他方の第二の保持板金に補助基板を取り付けて保持し表示パネルの背面板金に取り付ける第三工程とを備えることにより、映像表示装置の開発費用を抑制できる。
【図面の簡単な説明】
【０００８】
【図１】この発明の実施の形態１に用いられる各種基板、保持板金、表示パネルの組立て方法を示す分解斜視図である。
【図２】この発明の実施の形態１に用いられる主基板用保持板金に設けられたカットラインの位置を特定する特定部および固定部を示す分解斜視図である。
【図３】この発明の実施の形態１に用いられる主基板用保持板金に設けられたカットラインの位置を特定する特定部および補助固定部を示す分解斜視図である。
【図４】この発明の実施の形態１における製造工程を示すフローチャートである。
【図５】この発明の実施の形態１に用いられる主基板用保持板金に主基板を保持する状態を示す図である。
【図６】この発明の実施の形態１における映像表示装置全体を組立てた後の状態を示す斜視図である。
【図７】この発明の実施の形態２における製造工程を示すフローチャートである。
【図８】この発明の実施の形態２における第一工程で保持板金を分割するカットラインの位置を特定する特定部の位置を示す図である。
【図９】この発明の実施の形態２に用いられる各種基板、保持板金、表示パネルの組立て方法を示す分解斜視図である。
【図１０】この発明の実施の形態２における映像表示装置全体を組立てた後の状態を示す斜視図である。
【図１１】この発明の実施の形態３に用いられる各種基板、保持板金、表示パネルの組立て方法を示す分解斜視図である。
【図１２】この発明の実施の形態３に用いられる主基板用保持板金および主基板を示す分解斜視図である。
【図１３】この発明の実施の形態３に用いられる主基板用保持板金に主基板を保持する状態を示す図である。
【図１４】この発明の実施の形態３における映像表示装置全体を組立てた後の状態を示す斜視図である。
【発明を実施するための形態】
【０００９】
実施の形態１．
この発明の実施の形態１における映像表示装置について図１から図３を用いて説明する。映像表示装置は、主基板２、電源基板５、補助基板７、映像を画面に表示する表示パネル８、主基板２を保持しながら表示パネル８の背面板金に固定される主基板用保持板金１、電源基板５を保持しながら表示パネル８の背面板金に固定される上方保持板金３および下方保持板金４、補助基板７を保持しながら表示パネル８の背面板金に固定される補助基板用保持板金６で構成されている。なお、表示パネル８は、本実施の形態では液晶パネルを想定しているが、液晶パネル以外の表示パネルを使用しても構わない。また、上記では補助基板７を１枚だけ備えているように記載しているが、映像表示装置の仕様に合わせて補助基板７を複数枚備えても構わない。
【００１０】
主基板２には、制御回路、映像処理回路、チューナー回路などの信号系の電気回路が、電源基板５には、一次および二次電源回路、表示パネル８用の電源回路などの電源系の電気回路が、補助基板７には、表示パネル８の表示機能を拡張させるためのフレームレートコントロール回路、表示パネル８の電源制御を付加的に補完するためのコンバーター回路などの主基板２に具現されない処理を行う電気回路が搭載されている。
【００１１】
主基板用保持板金１は、主基板２を保持するために、主基板２に配設されている穴２ａに合う位置に切り起しに設けられた固定部１ａを有している。また、図１主基板用保持板金１は、表示パネル８の背面板金に固定されるために、表示パネル８の背面板金に設けられている固定部８ａに合う位置に固定部１ｃも有している。
【００１２】
上方保持板金３は、電源基板５を保持するために、電源基板５に設けられている穴５ａに合う位置に切り起しに設けられた固定部３ａを備えている。同様に、下方保持板金４も電源基板５に設けられている穴５ａに合う位置に切り起しに設けられた固定部４ａを備えている。また、上方保持板金３は、表示パネル８の背面板金に固定されるために、表示パネル８の背面板金に設けられている固定部８ａに合う位置に固定部３ｃも備えている。同様に、下方保持板金４も表示パネル８の背面板金に設けられている固定部８ａに合う位置に固定部４ｃも備えている。また補助基板用保持板金６は、補助基板７を保持するために、補助基板７に配設されている穴７ａに合う位置に切り起しに設けられた固定部６ａを有し、表示パネル８の背面板金に設けられている固定部８ａに合う位置に固定部６ｃを有している。
【００１３】
さらに、主基板用保持板金１は、補助基板７および主基板２より小さい副基板９を並べて保持するために設けられた補助固定部１ｄと、補助基板７および副基板９を並べて保持する時に互いの基板間にあり、ある端部から対面する端部に向かって直線状に形成された、固定部１ａまたは補助固定部１ｄが含まれない範囲であるカットラインの位置を特定する特定部１６と、補助基板用保持板金６の固定部６ｃに合う位置に設けた補助固定部１ｅとを有している。なお、特定部１６は、板金上に示されたラインでもよく、また端部に形成された切込みやカット加工時にラインとの位置関係を特定するための基準面でもよい。
【００１４】
次に、この実施の形態１の製造方法について図４を用いて説明する。まず、製造機種として基準モデルを選定する（ステップＳ１）。なお、基準モデルは、例えば、製品仕様が最も充実している高価格帯を狙った機種を示す。また、ステップＳ１での選定は自動で行うが、手動で行っても構わない。
【００１５】
主基板用保持板金１に主基板２を取り付けた後、主基板２を取り付けた主基板用保持板金１を表示パネル８の背面板金に固定する（ステップＳ２）。
【００１６】
この時、主基板用保持板金１が有する切り起しに設けられた固定部１ａの位置は、主基板２に設けられた穴２ａの位置と合っているので、図１のとおり、主基板２に配設された穴２ａから主基板用保持板金１が有する切り起しに設けられた固定部１ａに向かってネジ２１を留めることで、主基板２を主基板用保持板金１に取り付けることができる。図５は実施の形態１における主基板用保持板金１および主基板２を組立てた後の状態を示す図である。
【００１７】
また、主基板用保持板金１に設けられた固定部１ｃの位置は、表示パネル８の背面板金に設けられた固定部８ａの位置と合っているので、主基板用保持板金１に設けられた固定部１ｃから表示パネル８の背面板金に設けられた固定部８ａに向かってネジ２０を留めることで、主基板用保持板金１を表示パネル８の背面板金に取り付けることができる。
【００１８】
次に、上方保持板金３および下方保持板金４に電源基板５を取り付けた後、電源基板５を取り付けた上方保持板金３および下方保持板金４を表示パネル８の背面板金に固定する（ステップＳ３）。
【００１９】
この時、上方保持板金３が有する切り起しに設けられた固定部３ａおよび下方保持板金４が有する切り起しに設けられた固定部４ａの位置は、電源基板５に設けられた穴５ａの位置とそれぞれ合っているので、電源基板５に配設された穴５ａから上方保持板金３が有する切り起しに設けられた固定部３ａまたは下方保持板金４が有する切り起しに設けられた固定部４ａに向かってネジ２１を留めることで、電源基板５を上方保持板金３および下方保持板金４に取り付けることができる。
【００２０】
また、上方保持板金３に設けられた固定部３ｃの位置および下方保持板金４に設けられた固定部４ｃの位置は、表示パネル８の背面板金に設けられた固定部８ａの位置と合っているので、上方保持板金３に設けられた固定部３ｃまたは下方保持板金４に設けられた固定部４ｃから表示パネル８の背面板金に設けられた固定部８ａに向かってネジ２０を留めることで、上方保持板金３および下方保持板金４を表示パネル８の背面板金に取り付けることができる。
【００２１】
次に、補助基板用保持板金６に補助基板７を取り付けた後、補助基板７を取り付けた補助基板用保持板金６を表示パネル８の背面板金に固定する（ステップＳ４）。
【００２２】
この時、補助基板用保持板金６が有する切り起しに設けられた固定部６ａの位置は、補助基板７に設けられた穴７ａの位置と合っているので、補助基板７に配設された穴７ａから補助基板用保持板金６が有する切り起しに設けられた固定部６ａに向かってネジ２１を留めることで、補助基板７を補助基板用保持板金６に取り付けることができる。
【００２３】
また、補助基板用保持板金６に設けられた固定部６ｃの位置は、表示パネル８の背面板金に設けられた固定部８ａの位置と合っているので、補助基板用保持板金６に設けられた固定部６ｃから表示パネル８の背面板金に設けられた固定部８ａに向かってネジ２０を留めることで、補助基板用保持板金６を表示パネル８の背面板金に取り付けることができる。映像表示装置の各種基板および各保持板金を表示パネル８の背面板金に取り付けた後の状態を図６に示す。
【００２４】
このように上記した実施の形態１によれば、主基板用保持板金１にカットラインの位置を特定する特定部１６を設け、主基板より小さい基板を取り付けられるように補助固定部を設けているので、主基板より小さい基板を取り付ける場合、保持板金を新規に設計せずに保持板金の加工だけで対応でき、開発費用を抑制できる。
【００２５】
実施の形態２．
この発明の実施の形態２における映像表示装置の製造方法について図７から図１０を用いて説明する。なお、図７から図１０中、図１から図６と同一符号は同一又は相当部分を示す。この実施の形態２における映像表示装置の製造方法は、実施の形態１における映像表示装置の製造方法が主基板用保持板金１に主基板２を、補助基板用保持板金６に補助基板７を取り付ける工程を有しているのに対し、保持板金をある端部から対面する端部に向かって直線状に形成されたカットラインの位置を特定する特定部１６に基づいて二つに分割する第一工程と、第一工程で分割されて作成された二つの保持板金の一方の第一の保持板金１０に副基板９を取り付けて保持し、表示パネル８の背面板金に取り付ける第二工程と、第一工程で分割されて作成された二つの保持板金の他方の第二の保持板金１１に補助基板７を取り付けて保持し、表示パネル８の背面板金に取り付ける第三工程とを有している。なお、第一工程で行う分割は金型を使って行ってもよい。
【００２６】
この実施の形態２における映像表示装置の製造方法について図７を用いて説明する。まず、製造機種として派生モデルを選定する（ステップＳ１１）。なお、派生モデルは、例えば、基準モデルから機種展開し製品仕様が基準モデルの製品仕様よりも劣る低価格帯を狙った機種を示す。また、ステップＳ１１での選定は自動で行うが、手動で行っても構わない。
【００２７】
図８に示すとおり、主基板用保持板金１をある端部から対面する端部に向かって直線状に形成されたカットラインの位置を特定する特定部１６に基づいて二つに分割する（ステップＳ１２）。なお、この工程を第一工程とする。
【００２８】
第一工程で分割されて作成された二つの保持板金の一方の第一の保持板金１０に副基板９を取り付けて保持し、表示パネル８の背面板金に取り付ける（ステップＳ１３）。なお、この工程を第二工程とする。
【００２９】
この時、第一の保持板金１０が有する切り起しに設けられた固定部１０ａの位置は、副基板９に設けられた穴９ａの位置と合っているので、図９のとおり、副基板９に配設された穴９ａから第一の保持板金１０が有する切り起しに設けられた固定部１０ａに向かってネジ２１を留めることで、副基板９を第一の保持板金１０に取り付けることができる。
【００３０】
また、第一の保持板金１０に設けられた固定部１０ｃの位置は、表示パネル８の背面板金に設けられた固定部８ａの位置と合っているので、第一の保持板金１０に設けられた固定部１０ｃから表示パネル８の背面板金に設けられた固定部８ａに向かってネジ２０を留めることで、第一の保持板金１０を表示パネル８の背面板金に取り付けることができる。
【００３１】
次に、ステップＳ３を行った後、第一工程で分割されて作成された二つの保持板金の他方の第二の保持板金１１に補助基板７を取り付けて保持し、表示パネルの背面板金に取り付ける（ステップＳ１４）。なお、この工程を第三工程とする。
【００３２】
この時、第二の保持板金１１が有する切り起しに設けられた固定部１１ａの位置は、補助基板７に設けられた穴７ａの位置と合っているので、補助基板７に配設された穴７ａから第二の保持板金１１が有する切り起しに設けられた固定部１１ａに向かってネジ２１を留めることで、補助基板７を第二の保持板金１１に取り付けることができる。
【００３３】
また、第二の保持板金１１に設けられた固定部１１ｃの位置は、表示パネル８の背面板金に設けられた固定部８ａの位置と合っているので、第二の保持板金１１に設けられた固定部１１ｃから表示パネル８の背面板金に設けられた固定部８ａに向かってネジ２０を留めることで、第二の保持板金１１を表示パネル８の背面板金に取り付けることができる。映像表示装置の各種基板および各保持板金を表示パネル８の背面板金に取り付けた後の状態を図１０に示す。
【００３４】
このように上記した実施の形態２によれば、保持板金を二つに分割する工程と、分割された保持板金に副基板９および補助基板７を取り付ける工程を設けたことにより、保持板金を新規に設計せずに保持板金の加工だけで対応でき、映像表示装置の開発費用を抑制できる。
【００３５】
また、金型を使って保持板金を分割することにより、二次加工費用を抑制することができる。
【００３６】
実施の形態３．
この発明の実施の形態３における映像表示装置について図１１から図１４を用いて説明する。なお、図１１から図１４中、図１から図６と同一符号は同一又は相当部分を示す。この実施の形態３における映像表示装置は、実施の形態１における映像表示装置が主基板用保持板金１を有しているのに対し、主基板用保持板金１３を有している。主基板用保持板金１３は、主基板用保持板金１３に設けられた補助固定部１３ａを切り起している。
【００３７】
上記の実施の形態３によれば、主基板用保持板金１３の補助固定部１３ａを切り起すことにより、主基板２がたわまないようにすることができる。
【００３８】
なお、各実施の形態では、各種基板と保持板金との固定および保持板金と表示パネル８の背面板金との固定をネジ留めで行うよう説明しているが、上記の固定方法は固定できればネジ留め以外の方法でも構わない。
【符号の説明】
【００３９】
１，１３  主基板用保持板金、１ａ  切り起しに設けられた固定部、１ｄ  補助固定部、２  主基板、６  補助基板用保持板金、７  補助基板、８  表示パネル、８ａ  固定部、９  副基板、１０  第一の保持板金、１１  第二の保持板金、１３ａ  補助固定部、１６  特定部
【図１】
2019174735.tif 000003
【図２】
2019174735.tif 000004
【図３】
2019174735.tif 000005
【図４】
2019174735.tif 000006
【図５】
2019174735.tif 000007
【図６】
2019174735.tif 000008
【図７】
2019174735.tif 000009
【図８】
2019174735.tif 000010
【図９】
2019174735.tif 000011
【図１０】
2019174735.tif 000012
【図１１】
2019174735.tif 000013
【図１２】
2019174735.tif 000014
【図１３】
2019174735.tif 000015
【図１４】
2019174735.tif 000016